(57)【要約】【課題】携帯装置に設けられるコネクタ自体を小型化しなくても、その携帯装置の装置寸法を小さくすることである。【解決手段】この携帯装置は、携帯電話機の内蔵電池を充電する機能と、装置筐体内の２次電池を充電する機能とを併せ持った充電器１０である。この充電器を使用する場合、携帯電話機の外部コネクタを第１コネクタ１１を接続し、その第１コネクタの保護キャップ１２に設けられた第２コネクタ１９に、その携帯電話機の専用充電器を接続する。この充電器を使用する場合には、第１コネクタと第２コネクタが互いに装着状態になるように、第１コネクタに保護キャップを被せる。【選択図】  図１
2004350464.tif 000002
【特許請求の範囲】
【請求項１】
装置筐体内の電気回路に電気的に接続され、外部機器のコネクタに対して着脱可能な第１コネクタと、
該装置筐体内の電気回路に電気的に接続され、該外部機器のコネクタとは異なる別のコネクタ又は該外部機器とは異なる外部機器のコネクタに対して着脱可能な第２コネクタと、
該装置筐体の外部に設けられ、該第１の接続コネクタに被さるように該第１の接続コネクタに対して装着可能な保護キャップと、
該保護キャップと該装置筐体とを連結する連結部材とを備えた携帯装置において、
上記第２コネクタを上記保護キャップに設け、
該第２コネクタと上記装置筐体内の電気回路とを電気的に接続する信号ラインを設けたことを特徴とする携帯装置。
【請求項２】
請求項１の携帯装置において、
上記保護キャップを上記第１コネクタに装着したとき、該第１コネクタと上記第２コネクタとが互いに装着された状態になるように構成したことを特徴とする携帯装置。
【請求項３】
請求項１又は２の携帯装置において、
２次電池を着脱可能なソケット部を備え、
上記装置筐体内の電気回路を用いて、上記第１コネクタ及び上記第２コネクタの少なくとも一方から供給される上記外部機器からの外部電力により、該ソケット部に装着された２次電池を充電する充電手段を有することを特徴とする携帯装置。
【請求項４】
請求項１又は２の携帯装置において、
上記装置筐体内の電気回路を用いて、上記第１コネクタ及び上記第２コネクタの少なくとも一方から上記外部機器に電力を供給する電力供給手段を有することを特徴とする携帯装置。
【請求項５】
請求項１又は２の携帯装置において、
２次電池を着脱可能なソケット部を備え、
上記装置筐体内の電気回路を用いて、上記第１コネクタ及び上記第２コネクタのいずれか一方から供給される上記外部機器からの外部電力により、該ソケット部に装着された２次電池を充電する充電手段と、
上記装置筐体内の電気回路を用いて、他方のコネクタから上記外部機器に電力を供給する電力供給手段とを有することを特徴とする携帯装置。
【請求項６】
請求項４又は５の携帯装置において、
上記外部機器に電力を供給するために用いられる上記第１コネクタ若しくは上記第２コネクタ又は該第１コネクタ及び該第２コネクタを、上記外部機器である携帯電話機の外部コネクタに着脱可能な構成としたことを特徴とする携帯装置。
【発明の詳細な説明】
【０００１】
【発明の属する技術分野】
本発明は、外部機器のコネクタに対して着脱可能な少なくとも２つのコネクタを備えた携帯装置に関するものである。
【０００２】
【従来の技術】
この種の携帯装置としては、携帯電話機、ＰＨＳ電話機、ポータブルＣＤプレーヤー、デジタルカメラ、パソコン等の電子機器や、これらの電子機器に接続されて利用される充電装置、メモリ装置等の付属機器などがある。このような携帯装置には、種々の外部機器が備えるコネクタにそれぞれ接続される複数のコネクタを備えるものが多い。これらのコネクタは、使用時には外部機器のコネクタに接続する必要があるため、装置筐体の外部に設けられている。そのため、従来から、そのコネクタにゴミが付着したり、傷が付いたりするのを防ぐ目的で、不使用時にコネクタに被さるように装着される保護キャップが設けられている（特許文献１等）。
【０００３】
【特許文献１】
特開２００２−２７０２８４号公報
【０００４】
【発明が解決しようとする課題】
このような携帯装置においては、ユーザーの取扱性を向上することが重要であり、装置寸法を小さくしたり、コネクタを含む電子部品等を装置筐体内に収納して一体的に構成する工夫がなされる。そのため、装置筐体内には、不要なスペースがなくなるように構成部品が配置されるので、各コネクタの配置の自由度が非常に低い。しかも、各コネクタは、通常、装置筐体に対して固定的に設けられる。その結果、携帯装置のコネクタに接続された外部機器のコネクタが邪魔で、携帯装置の他のコネクタに外部機器のコネクタを接続する作業が困難になり、ユーザーの取扱性を損ねることがあるという問題があった。また、逆に、携帯装置のコネクタに外部機器のコネクタを接続する際に、携帯装置の他のコネクタに接続された外部機器のコネクタが邪魔にならないように、携帯装置の各コネクタの配置変更を行うと、携帯装置の装置寸法が大きくなるという問題が発生する。
【０００５】
本発明は、上記問題に鑑みなされたものであり、その目的とするところは、装置寸法を大きくすることなく、携帯装置のコネクタへの外部機器のコネクタの接続作業において携帯装置の他のコネクタに接続された外部機器のコネクタが邪魔にならない携帯装置を提供することである。
【０００６】
【課題を解決するための手段】
上記目的を達成するために、請求項１の発明は、装置筐体内の電気回路に電気的に接続され、外部機器のコネクタに対して着脱可能な第１コネクタと、該装置筐体内の電気回路に電気的に接続され、該外部機器のコネクタとは異なる別のコネクタ又は該外部機器とは異なる外部機器のコネクタに対して着脱可能な第２コネクタと、該装置筐体の外部に設けられ、該第１の接続コネクタに被さるように該第１の接続コネクタに対して装着可能な保護キャップと、該保護キャップと該装置筐体とを連結する連結部材とを備えた携帯装置において、上記第２コネクタを上記保護キャップに設け、該第２コネクタと上記装置筐体内の電気回路とを電気的に接続する信号ラインを設けたことを特徴とするものである。
この携帯装置は、第１コネクタを使わないときには、装置筐体の外部に設けられた保護キャップを第１コネクタに被せることで、第１コネクタにゴミや傷が付くのを防ぐことができる。そして、本携帯装置では、この保護キャップに第２コネクタが設けられている。よって、装置筐体内の構成部品の配置に関係なく、第２コネクタの位置や姿勢を決めることができる。しかも、この保護キャップは、第１コネクタに被さった状態では装置筐体と一体となるが、第１コネクタを使用するときには第１コネクタから外され、第１コネクタから離れた位置をとる。よって、このような保護キャップに第２コネクタを設けることで、第１コネクタの使用時には、第２コネクタも第１コネクタから離れた位置をとることができる。したがって、第１コネクタ又は第２コネクタに外部機器のコネクタを接続した後、残りの第２コネクタ又は第１コネクタに更に外部機器のコネクタを接続する作業を行うとき、各コネクタにそれぞれ接続される外部機器のコネクタが互いに邪魔になることがないように、その接続作業を行うことが可能になる。特に、保護キャップが第１コネクタから外されたときにその保護キャップが装置筐体から比較的遠くに位置するように、保護キャップと装置筐体を連結する連結部材を構成すれば、第２コネクタと第１コネクタとの距離を、上記接続作業中に外部機器のコネクタが邪魔にならない十分な距離とすることができる。また、連結部材を、保護キャップの姿勢が自由に変更できるように、例えば可撓性を有する長尺な紐状部材で構成すれば、第２コネクタの姿勢の自由度が高くなるため、各コネクタにそれぞれ接続される外部機器のコネクタが互いに邪魔になることなく、上記接続作業を行うことができる。
また、本携帯装置においては、少なくとも第１コネクタを使用しないときには、保護キャップが第１コネクタに装着されることで、第２コネクタは、第１コネクタと一体となって保持される。よって、少なくとも第１コネクタを使用しないときには、本携帯装置がコンパクトになる。したがって、第２コネクタのみを使用するとき、又は、第１コネクタ及び第２コネクタの両方を使用しないとき、本携帯装置のユーザーによる取扱性が高まる。
なお、装置筐体内の電気回路と第２コネクタとの間は、信号ラインによって電気的に接続される。この信号ラインは、保護キャップと装置筐体とを連結する連結部材に設けてもよいし、その連結部材とは別個に設けてもよい。
【０００７】
また、請求項２の発明は、請求項１の携帯装置において、上記保護キャップを上記第１コネクタに装着したとき、該第１コネクタ及び上記第２コネクタの一方が他方に入り込んだ状態になるように構成したことを特徴とするものである。
この携帯装置においては、保護キャップを第１コネクタに被せたとき、第１コネクタの一部又は全部が第２コネクタに入り込み、又は、第２コネクタの一部又は全部が第１コネクタに入り込んだ状態となる。よって、第２コネクタを装置筐体に設ける場合に比べて本携帯装置を小型化できる。具体的に説明すると、本携帯装置においては、第２コネクタが装置筐体ではなく、その外部に設けられる保護キャップに設けられているため、装置筐体側には第２コネクタを設ける必要がなくなる。そして、その保護キャップを第１コネクタに被せた状態では、これらのコネクタの一方が他方に入り込んだ状態となる。したがって、保護キャップを第１コネクタに被せた状態においては、装置筐体側に第１コネクタと第２コネクタの両方を設ける場合に比べて、一方のコネクタが他方に入り込んだ分だけ、装置寸法を小さくできる。特に、携帯装置を小型化しようとする場合、その構成部品自体を小型化するのが有効であるが、構成部品の１つであるコネクタは、これに装着される外部機器のコネクタ構造に対応したものでなければならないという制約がある。そのため、携帯装置のコネクタを小型化すべく設計変更するには、これに装着される外部機器のコネクタもこれに応じて設計変更する必要が生じる。また、このようなコネクタは一般に規格化されたものが多く、容易に設計変更できるようなものではない。したがって、従来は、コネクタ自体を小型化することは非常に難しく、これが原因で、携帯装置の小型化が妨げられていたが、本携帯装置によれば、コネクタ自体を小型化することなく、携帯装置を小型化できるので、非常に有用である。
更に、本携帯装置においては、第１コネクタと第２コネクタとが互いに装着した状態になるように、第１コネクタに保護キャップを被せるので、第１コネクタ及び第２コネクタの双方を同時に、ゴミや傷から保護することができる。
なお、本携帯装置において、第１コネクタ及び第２コネクタは、その形状が互いに装着可能な構成であればよく、これらの間が電気的に接続されるように装着可能な構成である必要はない。
【０００８】
また、請求項３の発明は、請求項１又は２の携帯装置において、２次電池を着脱可能なソケット部を備え、上記装置筐体内の電気回路を用いて、上記第１コネクタ及び上記第２コネクタの少なくとも一方から供給される上記外部機器からの外部電力により、該ソケット部に装着された２次電池を充電する充電手段を有することを特徴とするものである。
この携帯装置は、２次電池を充電する携帯型の２次電池用充電装置として利用することができる。近年では、携帯装置は多機能化しており、２次電池用充電装置も、２次電池の充電専用の装置ではなく、２次電池の充電以外の様々な機能が付加されることが考えられる。この場合、複数のコネクタが設けられる構成となることがあるが、本携帯装置によれば、このような構成であっても、コネクタ自体を小型化せずに、小型の２次電池用充電装置を提供することができる。
【０００９】
また、請求項４の発明は、請求項１又は２の携帯装置において、上記装置筐体内の電気回路を用いて、上記第１コネクタ及び上記第２コネクタの少なくとも一方から上記外部機器に電力を供給する電力供給手段を有することを特徴とするものである。
この携帯装置は、外部機器の内蔵電池を充電したり、外部機器の外部電源として機能したりする携帯型の電源装置として利用することができる。近年では携帯型の電子機器が広く普及しているため、外出先等で電子機器に電力供給できる携帯型の電源装置の利用価値が高まっている。しかも、上述のとおり、携帯装置は多機能化しているため、このような携帯型の電源装置も、外部機器である電子機器に対する電力供給専用の装置ではなく、他の様々な機能が付加されることが考えられる。この場合、複数のコネクタが設けられる構成となることがあるが、本携帯装置によれば、このような構成であっても、コネクタ自体を小型化せずに、小型の携帯型の電源装置を提供することができる。
【００１０】
また、請求項５の発明は、請求項１又は２の携帯装置において、２次電池を着脱可能なソケット部を備え、上記装置筐体内の電気回路を用いて、上記第１コネクタ及び上記第２コネクタのいずれか一方から供給される上記外部機器からの外部電力により、該ソケット部に装着された２次電池を充電する充電手段と、上記装置筐体内の電気回路を用いて、他方のコネクタから上記外部機器に電力を供給する電力供給手段とを有することを特徴とするものである。
この携帯装置においては、２次電池を充電する機能と、外部機器に電力供給する機能とを併せ持つもっているため、２次電池の充電機能に必要な外部電力の供給を受けるためのコネクタと、外部機器への電力供給機能に必要な電力を出力するためのコネクタの２つのコネクタが必要になる。本携帯装置の構成によれば、このような構成であっても、コネクタ自体を小型化せずに、このような２つの機能を併せ持った小型の携帯装置を提供することができる。
【００１１】
また、請求項６の発明は、請求項４又は５の携帯装置において、上記外部機器に電力を供給するために用いられる上記第１コネクタ若しくは上記第２コネクタ又は該第１コネクタ及び該第２コネクタを、上記外部機器である携帯電話機の外部コネクタに着脱可能な構成としたことを特徴とするものである。
この携帯装置においては、２次電池を内蔵した携帯電話機の外部コネクタに、第１コネクタ若しくは第２コネクタ、又は、第１コネクタ及び第２コネクタを装着することで、携帯電話機の内蔵電池（２次電池）を充電することが可能となる。このような構成により、外出先等において、本携帯装置により携帯電話機の内蔵電池を充電するというような利用が可能となる。
【００１２】
【発明の実施の形態】
以下、本発明を、外出先等で携帯電話機の内蔵電池を充電するための携帯装置である携帯電話機用携帯型充電器（以下、単に「充電器」という。）に適用した一実施形態について説明する。
図１（ａ）は、本実施形態に係る充電器を示す外観図であり、図１（ｂ）は、この充電器の内部構造を示す断面図である。この充電器１０は、第１コネクタ１１と、これを保護するための保護キャップ１２とを備えている。この保護キャップ１２は、可撓性を有する連結部材１２ａにより装置筐体１０ａに連結されている。また、図１（ｂ）に示すように、装置筐体１０ａの内部には、３本の２次電池１３を着脱可能に収容するソケット部１４と、後述する定電圧回路部１５、２次電池充電部１６及び昇圧回路部１７を構成する電気回路が形成された電気回路基板１８とが設けられている。また、本実施形態では、保護キャップ１２の内部に第２コネクタ１９が設けられており、この第２コネクタ１９は、連結部材１２ａの内部に設けられる図示しない信号ラインを介して、電気回路基板１８と電気的に接続されている。
【００１３】
図２は、本実施形態に係る充電器を充電するときの利用形態を示す外観図である。なお、図示の充電器１０は、ソケット部１４の蓋が開いた状態を示している。
充電器１０内の２次電池１３は、携帯電話機１の内蔵電池と同じ充電作業で充電することができる。２次電池１３及び携帯電話機１の内蔵電池の両者を充電する場合には、第１コネクタ１１に外部機器である携帯電話機１の外部コネクタ２を接続し、かつ、保護キャップ１２に設けられた第２コネクタ１９にその携帯電話機１の専用充電器（外部機器）２０の電圧供給用コネクタである専用コネクタ２１を接続する。専用充電器２０の電源コネクタ２２は、自宅の電源コンセント３０に差し込まれる。なお、携帯電話機１のみを充電する場合には、従来と同様に、専用充電器２０の専用コネクタ２１を携帯電話機１の外部コネクタ２に直接接続してもよい。
【００１４】
ここで、携帯電話機１の外部コネクタ２は、一般にメスコネクタであり、そのコネクタ形状は携帯電話機１の種類ごとに異なっている。本実施形態の第１コネクタ１１には、すべての外部コネクタ２に対応した形状をもつ公知の汎用オスコネクタが利用されている。
一方、携帯電話機１に付属の専用充電器２０に設けられる専用コネクタ２１は、その携帯電話機１の外部コネクタ２に対応した形状を有するオスコネクタであり、そのコネクタ形状は携帯電話機１の種類ごとに異なっている。本実施形態の第２コネクタ１９には、すべての専用コネクタ２１に対応した形状をもつメスコネクタが利用されている。また、本実施形態の第２コネクタ１９の形状は、特定の携帯電話機に専用のものではない公知の汎用オスコネクタの形状にも対応している。具体的には、この第２コネクタ１９の内形形状は、すべての専用コネクタ２１及び汎用オスコネクタが有するいずれの外形にも衝突することのない最小範囲に決められている。そして、その第２コネクタ１９には、いずれのオスコネクタが挿入されたときでもオスコネクタとの連結状態を保持する保持手段が設けられている。本実施形態では、第２コネクタ１９の内壁の適切な位置に設けられる突起部が保持手段として機能している。
このように第１コネクタ１１及び第２コネクタ１９が構成されているため、保護キャップ１２を第１コネクタ１１に被せたときには、図１（ａ）及び（ｂ）に示したように、第１コネクタ１１に第２コネクタ１９が装着された状態で保持される。このとき、第１コネクタ１１の少なくとも一部が第２コネクタ１９の内部に入り込んだ状態となる。
なお、本実施形態では、第１コネクタ１１に保護キャップ１２を被せたときには、第１コネクタ１１に第２コネクタ１９が装着される構成を採用しているが、第１コネクタ１１に保護キャップ１２を被せたときに第１コネクタ１１と第２コネクタ１９とが互いに装着状態にならない構成としてもよい。この場合、例えば、携帯電話機１に付属する専用充電器２０を利用せずに、本充電器１０に専用の電源ケーブル（外部機器）を用意し、第２コネクタ１９をこの電源ケーブルに装着可能な構成とすることができる。また、第２コネクタ１９として、電源コンセント３０に直接差し込むことができる電源コネクタを利用することもできる。例えば、図３に示すように、保護キャップ１１２に電源コネクタ１１９を設け、その電源コネクタ１１９を、電源コンセント３０に接続された延長コード（外部機器）１２０に差し込むようにする。なお、保護キャップ１１２に設けられた電源コネクタ１１９を電源コンセント３０に直接差し込んでもよいことは言うまでもない。
【００１５】
図４は、充電器１０の内部の回路構成を示すブロック図である。この充電器１０は、保護キャップ１２の第２コネクタ１９から、連結部材１２ａ内の信号ライン１２ｂを介して、専用充電器２０から供給される外部電圧から所望の定電圧を得るための定電圧回路部１５を備えている。この定電圧回路部１５は、外部電圧が入力されると、下段の回路部に一定の電圧（ＤＣ４．５Ｖ）を供給する。
【００１６】
この定電圧回路部１５から出力される一定電圧は、充電手段としての２次電池充電部１６に入力される。この２次電池充電部１６は、２次電池１３が装着されたソケット部１４によって構成されている。２次電池充電部１６は、入力された一定電圧が加わることによって流れる電流により２次電池１３を充電する。
また、定電圧回路部１５からの一定電圧は、電力供給手段としての昇圧回路部１７にも入力される。この昇圧回路部１７は、入力された一定電圧を携帯電話機１の内蔵電池の充電に必要な電圧に変圧した後、その電圧を第１コネクタ１１に供給する。なお、本実施形態では、内部に充電回路を備えた携帯電話機１の充電を例に挙げているので、昇圧回路部１７では、入力されるＤＣ４．５ＶをＤＣ５．４Ｖまで昇圧している。このように昇圧された電圧は、第１コネクタ１１に接続されている外部コネクタ２を介して、その携帯電話機１の充電回路に送られ、その充電回路により内蔵電池が充電される。このように、本実施形態における回路構成によって外部電圧供給手段が構成されている。
なお、外出先等において、本充電器１０の２次電池１３で発生する電圧によって携帯電話機１の内蔵電池を充電する場合、２次電池１３で発生する電圧が昇圧回路部１７に入力される。そして、昇圧回路部１７は、上記と同様に、入力された電圧を変圧した後、その電圧を第１コネクタ１１に供給する。これにより、携帯電話機１の充電回路が内蔵電池を充電する。
【００１７】
次に、本充電器１０の動作について説明する。
図５は、本実施形態における充電器１０の動作を示すフローチャートである。本充電器１０は、第１コネクタ１１及び第２コネクタ１９の電気的な接続状態の違いにより、その動作が異なる。
第１コネクタ１１が携帯電話機１に内蔵された充電回路と電気的に接続された状態（以下、単に「接続状態」という。）であり、かつ、保護キャップ１２の第２コネクタ１９が専用充電器２０と電気的に接続されていない状態（以下、単に「非接続状態」という。）である場合（Ｓ１）、昇圧回路部１７には、２次電池１３で発生する電圧が入力される。そして、本充電器１０の２次電池１３から携帯電話機１の充電回路に電流が流れ込み、内蔵電池が充電される（Ｓ２）。内蔵電池の充電が終了すると、携帯電話機１の充電回路によって携帯電話機１に流れ込む電流がカットされるため、２次電池１３からは電流が供給されなくなり、充電が終了する。
【００１８】
また、第１コネクタ１１が携帯電話機１の充電回路と非接続状態であり、かつ、第２コネクタ１９が専用充電器２０と接続状態である場合（Ｓ３）、２次電池充電部１６には、第２コネクタ１９からの外部電圧が入力される。これにより、その第２コネクタ１９から２次電池充電部１６に電流が流れ込み、２次電池１３が充電される（Ｓ４）。このとき、第１コネクタ１１は非接続状態であるため、昇圧回路部１７には、電流が流れ込むことはない。
【００１９】
また、第１コネクタ１１及び第２コネクタ１９がともに接続状態である場合（Ｓ５）、２次電池充電部１６及び昇圧回路部１７には、第２コネクタ１９からの外部電圧が入力される。第２コネクタ１９から流入する電流は、インピーダンスの関係で、そのほとんどは、２次電池充電部１６には流れ込まずに昇圧回路部１７に流れ込むことになる。これにより、携帯電話機１の充電回路によって内蔵電池が充電される（Ｓ６）。内蔵電池の充電が終了すると、上述のように携帯電話機１に流れ込む電流がカットされるため、第２コネクタ１９から流入する電流は、今度は２次電池充電部１６には流れ込み、２次電池１３が充電される（Ｓ７）。
【００２０】
また、本実施形態の２次電池１３として、単４形のＮｉ−ＭＨ電池を用いているので、ソケット部１４に単４形の１次電池を装着して利用することもできる。これにより、例えば外出先等において２次電池を使い切ってしまったときでも、１次電池を利用して携帯電話機１の内蔵電池の充電作業を行うことができる。このとき、１次電池が装着された状態で、２次電池充電部１６による充電動作が行われない構成とするのが望ましい。例えば、ソケット部１４の構造を、２次電池１３を装着したときと１次電池を装着したときとで、その接触端子が互いに異なるようにする構成する。なお、ソケット部１４を設けずに、本充電器１０に対して着脱できない内蔵型の２次電池を用いてもよい。
【００２１】
以上、本実施形態によれば、携帯電話機１を接続した状態の充電器１０に、その携帯電話機１に付属の専用充電器２０を接続するだけで、その携帯電話機１の内蔵電池及び充電器１０の２次電池の充電を一度に済ますことができる。よって、従来別々に行わなければならなかった両者の充電作業を一度に行うことができるので、その取扱性を高めることができる。なお、本実施形態では、携帯電話機１の内蔵電池の充電を優先して行う構成としたが、２次電池１３の充電を優先して行ったり、内蔵電池と２次電池１３の充電を同時に行ったりしてもよい。
更に、本実施形態によれば、第２コネクタ１９を備えた保護キャップ１２を第１コネクタ１１から外したとき、その第２コネクタ１９は、およそ連結部材の長さ分だけ第１コネクタから離れた位置をとることができる。したがって、第１コネクタ１１に携帯電話機１の外部コネクタ２が接続されていても、その外部コネクタあるいは携帯電話機本体に邪魔されることなく、第２コネクタ１９に専用充電器２０の専用コネクタ２１を接続することができる。しかも、本実施形態では、連結部材１２ａが可撓性を有するので、第２コネクタ１９の向きや姿勢を自由に変更でき、第２コネクタ１９に専用コネクタ２１を接続する際の作業性が向上する。
また、第２コネクタ１９が装置筐体１０ａの外部に設けられる保護キャップ１２に設けられており、しかも保護キャップ１２を第１コネクタ１１に被せたときには、第２コネクタの内部に第１コネクタ１１の少なくとも一部が入り込むため、装置筐体１０ａに第２コネクタ１９を設ける場合に比べて、装置寸法を小さくすることができる。
【００２２】
なお、本実施形態では、ソケット部１４に装着された２次電池を充電する機能と、ソケット部１４に装着された電池によって携帯電話機の内蔵電池を充電する機能とを併せ持った携帯装置である充電器１０を例に挙げて説明したが、これに限らず、外部機器に接続される少なくとも２つのコネクタを備えたあらゆる携帯装置にも、本発明を同様に適用することができる。
【００２３】
【発明の効果】
請求項１乃至６の発明によれば、第１コネクタの使用時には第２コネクタが第１コネクタから離れた位置をとることができるので、これらのコネクタの一方に外部機器のコネクタを接続する作業を、他方のコネクタに接続された外部機器のコネクタが邪魔にならないように行うことが可能となるという優れた効果がある。しかも、第２コネクタは、装置筐体外部に位置する既存の保護キャップに設けられるため、装置筐体内の配置に関係なく第２コネクタの位置や姿勢をとることが可能で、かつ、新たな構成部品も必要としないので、装置寸法が大きくなることはない。
特に、請求項２の発明によれば、第２コネクタを装置筐体に設ける場合に比べて携帯装置を小型化できるという優れた効果がある。しかも、第１コネクタに保護キャップを装着すれば、第１コネクタ及び第２コネクタの双方を同時に、ゴミや傷から保護することができるという優れた効果もある。
また、請求項３の発明によれば、携帯型の２次電池用充電装置を小型化できるという優れた効果がある。
また、請求項４の発明によれば、外部機器の内蔵電池を充電したり、外部機器の外部電源として機能したりする携帯型の電源装置を小型化できるという優れた効果がある。
また、請求項５の発明によれば、２次電池を充電する機能と、外部機器に電力供給する機能とを併せ持つ携帯装置を小型化できるという優れた効果がある。
また、請求項６の発明によれば、携帯電話機の内蔵電池を充電する携帯型の充電器を小型化できるという優れた効果がある。
【図面の簡単な説明】
【図１】（ａ）は、実施形態に係る充電器を示す外観図。
（ｂ）は、同充電器の内部構造を示す断面図。
【図２】同充電器を充電するときの利用形態を示す外観図。
【図３】同充電器の変形例における利用形態を示す外観図。
【図４】同充電器の内部の回路構成を示すブロック図。
【図５】同充電器の動作を示すフローチャート。
【符号の説明】
１    携帯電話機
２    外部コネクタ
１０  充電器
１１  第１コネクタ
１２，１１２  保護キャップ
１２ａ  連結部材
１２ｂ  信号ライン
１３  ２次電池
１４  ソケット部
１５  定電圧回路部
１６  ２次電池充電部
１７  昇圧回路部
１８  電気回路基板
１９  第２コネクタ
２０  専用充電器
２１  専用コネクタ
２２  電源コネクタ
３０  電源コンセント
１１９  電源コネクタ（第２コネクタ）
１２０  延長コード
【図１】
2004350464.tif 000003
【図２】
2004350464.tif 000004
【図３】
2004350464.tif 000005
【図４】
2004350464.tif 000006
【図５】
2004350464.tif 000007